(57)【要約】【課題】  水槽の上面に設置する水槽用照明器具を用いて、水槽内を美しく照らすことを達成するため、多方向から光を照射できる水槽用照明器具を提供する。【解決手段】  水槽の上面に設置する照明器具に、水槽上面の縁を張り出す部分３を設け、そこに水槽の鉛直方向面４外側から水槽内側に向けて光を照射できる照明光源または反射板を設ける。  また、変形可能な接続部材により、照明器具本体２と張り出し部３を繋ぐ。【選択図】図１
2018081898.tif 000002
【特許請求の範囲】
【請求項１】
水槽の上面に設置する照明器具において、前記水槽の上面から前記水槽内側に向けて光を照射する照明器具本体と、水槽上面の縁を張り出す張り出し部を設け、前記張り出し部に、前記水槽の少なくとも１つの鉛直方向面外側から前記水槽内側に向けて光を照射できる角度で取り付けられた照明光源を設けたことを特徴とする、水槽の上面に設置する照明器具。
【請求項２】
前記照明器具本体と前記張り出し部を、両端に相対変位の自由度を与える変形可能な接続部材で繋いだことを特徴とする、請求項１に記載の水槽の上面に設置する照明器具。
【請求項３】
前記接続部材は、リンク機構であることを特徴とする、請求項２に記載の水槽の上面に設置する照明器具。
【請求項４】
前記接続部材は、紐帯状軟質部材であることを特徴とする、請求項２に記載の水槽の上面に設置する照明器具。
【請求項５】
前記張り出し部の照明光源に、照射角度の調節手段を設けたことを特徴とする、請求項１、２、３、４のいずれかに記載の水槽の上面に設置する照明器具。
【請求項６】
前記照明器具本体の照明の発光色と、前記張り出し部の照明の発光色が互いに異なることを特徴とする、請求項１、２、３、４、５のいずれかに記載の水槽の上面に設置する照明器具。
【請求項７】
水槽の上面に設置する照明器具において、前記水槽の上面から前記水槽内側に向けて光を照射する照明器具本体と、水槽上面の縁を張り出す張り出し部を設け、前記張り出し部に、前記水槽の少なくとも１つの鉛直方向面外側から前記水槽内側に向けて、前記照明器具本体の光を反射できる角度で取り付けられた反射板を設けたことを特徴とする、水槽の上面に設置する照明器具。
【発明の詳細な説明】
【技術分野】
【０００１】  本発明は、水槽上面の縁を張り出す張り出し部を設け、張り出し部に光源を設けることで、水槽の鉛直方向面外側からも水槽内を照らすことができるようにした、水槽の上面に設置する照明器具に関する。
【背景技術】
【０００２】  従来は、水槽内を水槽の鉛直方向面外側から照らすことのできる水槽の上面に設置する照明器具は無かった。
【発明の概要】
【発明が解決しようとする課題】
【０００３】  観賞用水槽を美しく見せるために照明器具は欠かせないが、様々な水槽用照明器具の中で、最も設置に制限がなく安価で使い易いのは、水槽の上面に設置する形態の照明器具である。  しかし、水槽の上面に設置した照明器具から水槽内を照らす光は必然的に上から下への光線となり、人が水槽内の対象を観賞する際の主要な被観賞面である鉛直方向面への光量が不足し、美しく見えないという欠点があった。  その対策として水中照明が存在したが、高価で扱い辛く製品寿命も短いため普及していない。スタンド型照明等、他の形態の照明器具を水槽の周囲に複数設置併用するなどの方法も、コストが増大する・機器が互いに干渉する・かさばるなどの問題があった。  本発明はこれらの課題を解消するためになされたものである。
【課題を解決するための手段】
【０００４】  水槽の上面に設置する照明器具において、水槽の上面から水槽内側に向けて光を照射する照明器具本体と、水槽上面の縁を張り出す張り出し部を設け、張り出し部に、水槽の少なくとも一つの鉛直方向面外側から水槽内側に向けて光を照射できる角度で取り付けられた照明光源を設ける。【０００５】  照明器具本体と、水槽上面の縁を張り出す張り出し部を、両端に相対変位の自由度を与える変形可能な接続部材で繋いだ、水槽の上面に設置する照明器具の、張り出し部に、水槽の少なくとも一つの鉛直方向面外側から水槽内側に向けて光を照射できる角度で取り付けられた照明光源を設ける。【０００６】  照明器具本体と張り出し部を繋ぐ接続部材は、リンク機構としてもよい。【０００７】  照明器具本体と張り出し部を繋ぐ接続部材は、紐帯状軟質部材としてもよい。【０００８】  また、張り出し部の照明光源に、照射角度の調節手段を設けてもよい。【０００９】  照明器具本体の照明の発光色と、張り出し部の照明の発光色を、互いに異なる発光色としてもよい。【００１０】  水槽の上面に設置する照明器具において、水槽の上面から水槽内側に向けて光を照射する照明器具本体と、水槽上面の縁を張り出す張り出し部を設け、張り出し部に、水槽の少なくとも一つの鉛直方向面外側から水槽内側に向けて、照明器具本体の光を反射できる角度で取り付けられた反射板を設ける。
【発明の効果】
【００１１】  本発明は、水槽上面に設置する形態の、最も安価に製造でき、場所を取らず設置汎用性の高い水槽用照明器具でありながら、水槽上面の縁を張り出す部分に光源または反射板を持つため、水槽を上から下への光で照らすのみならず、前や横からの光を加えることができる。  それは従来の水槽上面設置型照明に、スタンド型照明や引っ掛け固定型照明・水中照明など他の形態の照明器具を複数併用するのと同等の効果を、本発明ひとつで賄えることを意味する。  特に水槽前面ガラス外側から水槽内側を照らす光線は、人が観賞する際の被観賞面への光量を増やすため、水槽内を美しく見せる効果が高い。  さらに、前面ガラスや側面ガラスの外側の上部から斜め下に入射する光は照明技術上の斜光であり、斜光には順光やバックライトには無い、対象を立体的に見せる効果がある。  本体と張り出し部を変形可能な接続部材で繋ぎ、張り出し部を変位可能としたものは、カメラマンが被写体を最も美しく見せるため複数の照明をセッティングするように、水槽内を照らす光の方向と配分を、使用者が任意にセッティングできる。  張り出し部の照明光源に照射角度の調節手段を設けたものは、光の照射角度についてさらなる微調節が可能となり、従来の水槽上面に設置する照明器具ではまったく実現不可能であった、極めて繊細に調節・最適化された光で水槽内を照らすことができる。  照明器具本体が発する上からの光と、張り出し部が発する前や横からの光に、異なる発光色を用いれば、演色性（対象の色の見え方）までも任意に調節することができ、色を用いた高度な演出が可能となる。
【図面の簡単な説明】
【００１２】
【図１】  本発明照明器具を水槽上面に設置した状態の斜視図である。
【図２】  本発明照明器具を水槽上面に設置した状態の側面図である。
【図３】  本発明照明器具の、発光面を上にした状態の斜視図である。
【図４】  張り出し部に反射板を設けた本発明照明器具を、水槽上面に設置した状態の側面図である。
【図５】  照明光源の角度調節手段を設けた本発明の張り出し部の分解斜視図である。
【図６】  図５の角度調節手段の説明図である。
【図７】  リンク機構の説明図である。
【図８】  リンク機構により本体に繋がれた２つの張り出し部を持つ本発明の、張り出し部のうち１つが、自由度により照明器具本体を離れて水槽鉛直方向面外側から水槽内側に光を照射できる位置に変位し、もう１つの張り出し部が水槽上面にある状態の本発明の斜視図である。
【発明を実施するための形態】
【００１３】  硬質プラスチック製の箱状筐体に、配線等電気装置を収納し、筐体外側にＬＥＤ照明球７を設けた面を発光面とする、家庭用１００Ｖ電源の照明器具を作成する。  箱状筐体は、水槽の上面に設置して使用できるよう、市販の既製観賞用水槽サイズである、長手方向が４５・６０・９０ｃｍの長方形を上面とする直方体水槽を想定し、その上面に略収まる大きさ形状とする。  この照明器具は、水槽上面に透明のガラス蓋をし、その蓋面上に発光面を下向きに置くことで使用が可能であり、このように水槽の上面に設置する照明器具のうち最も単純な構成は、照明球と電気装置と筐体という、照明器具としても最も部品点数の少ない構成となる。  これは、製造コストが低く、かつあらゆる水槽に設置できる汎用性を持つことを意味する。  筐体外側には、水槽の上面蓋との接触部位に、滑り止めやキズ防止のための軟質シリコーン製の足部を設けたり、水槽側壁の上端部６の縁を掴むクランプを設けて、安定性や利便性を高めてもよい。  筐体を面上に置くだけの設置構成に、設置の安定性や利便性をもたらす設置器具を追加しても、本発明の荷重を受ける主要な設置面を、水槽側壁の上端部６を含む、水槽上面５とする構成で、水槽上面５と水槽鉛直方向面４から光を照射できる構成であればよい。
【００１４】  この水槽の上面に設置するＬＥＤ照明器具本体２の箱状筐体の設置時水槽前側辺を、水槽前面方向に水槽上面の前縁を張り出すまで伸長した形状に作成し、水槽上面の前縁を張り出した張り出し部３に、照明器具本体の発光面と同様にＬＥＤ照明球７を設けるか、照明器具本体の光を反射する反射板１４を設ける。  また、張り出し部３は、照明器具本体の筐体とは別体の張り出し部筐体を、本体の筐体と同じ材質で作成し、本体の筐体にねじ部材や接着剤で接合する構成でもよい。
【００１５】  張り出し部ＬＥＤ照明の光の照射角度は、照明器具本体を水槽上面の適正位置に設置した状態で、水槽前面ガラス外側から水槽内を照らすことのできる角度とする。張り出し部の張り出し方向は、水槽前面側以外に側面や背面でもよく、それぞれの鉛直方向面外側から水槽内を照らす。
【００１６】  また、ＬＥＤ照明器具本体２に、張り出し部３をリンク機構１３または紐帯状部材で繋ぐ。  リンク機構１３は、照明器具本体２に回動軸１１によって回動自在に固定された複数のアーム１２と複数の回動軸１１からなり、リンク機構１３で繋がれた張り出し部３は、リンク機構１３によって水槽上面５と水槽前面の間の軌道を変位できるようにする。  紐帯状部材は、リンク機構１３同様に張り出し部３に変位の自由度を与えるよう、柔軟で耐久性のある軟質プラスチック等の材料で作成した、紐状や幅広の帯状の部材であり、その両端に照明器具本体２と張り出し部３を繋ぐ。  張り出し部３に、水槽鉛直方向面４のガラスに固定する吸盤等を設けてもよい。
【００１７】  張り出し部３のＬＥＤ照明の照射角度は、ギヤ８と回転軸１０と手動ダイヤル９によって調節可能にすることもできる。
【００１８】  照明器具本体の照明に赤色ＬＥＤを用い、張り出し部の照明に青色ＬＥＤを用いるなど、本体と張り出し部で異なる発光色のＬＥＤ球を用いてもよい。  本発明照明器具の照明光源は、蛍光灯や白熱電球などの発光器具でもよい。  また、電源は乾電池式や充電式でもよい。
【符号の説明】
【００１９】１    水槽
２    本発明照明器具本体
３    本発明張り出し部
４    水槽鉛直方向面
５    水槽上面
６    水槽側壁の上端部（水槽上面の一部分）
７    ＬＥＤ照明球
８    ギヤ
９    手動ダイヤル
１０  回転軸
１１  回動軸
１２  アーム
１３  リンク機構
１４  反射板
【図１】
2018081898.tif 000003
【図２】
2018081898.tif 000004
【図３】
2018081898.tif 000005
【図４】
2018081898.tif 000006
【図５】
2018081898.tif 000007
【図６】
2018081898.tif 000008
【図７】
2018081898.tif 000009
【図８】
2018081898.tif 000010